(57)【要約】【課題】  ノズル内に残留した液体の固化防止を図ると共に、押下げヘッドの組立を容易にする。【解決手段】シリンダ１内へ上方付勢状態で挿入したステム３０上端部に、ノズル６６を有する押下げヘッド３５を嵌着させた押下げヘッド式の液体噴出ポンプにおいて、押下げヘッド３５を上方ヘッド部６０と下方ヘッド部４０との上下二部材に分割して、上方ヘッド部を下方ヘッド部へ上方付勢状態で摺動自在に嵌合させ、下方ヘッド部４０を装着筒４１を介して前記ステム３０上端部へ嵌合させると共に、下方ヘッド部４０からノズル閉鎖部材５０を突設し、ノズル６６基端を前記装着筒４１上端部内面へ上下動自在に嵌合させると共に、ノズル先端をノズル閉鎖部材５０へ当接させてノズル６６先端を閉塞させ、上方ヘッド部６０の押下げにより、ノズル６６先端が前記ノズル閉鎖部材５０から下方へ離脱することで液体を吐出可能に設けた。【選択図】  図１
2008162671.tif 000002
【特許請求の範囲】
【請求項１】
シリンダ１内へ上方付勢状態で挿入したステム３０上端部に、ノズル６６を有する押下げヘッド３５を嵌着させた押下げヘッド式の液体噴出ポンプにおいて、
前記押下げヘッド３５を上方ヘッド部６０と下方ヘッド部４０との上下二部材に分割して、上方ヘッド部を下方ヘッド部へ上方付勢状態で摺動自在に嵌合させ、
前記下方ヘッド部４０を装着筒４１を介して前記ステム３０上端部へ嵌合させると共に、下方ヘッド部４０からノズル閉鎖部材５０を突設し
前記ノズル６６基端を前記装着筒４１上端部内面へ上下動自在に嵌合させると共に、ノズル先端をノズル閉鎖部材５０へ当接させてノズル６６先端を閉塞させ、
前記上方ヘッド部６０を上方付勢する弾発力を、前記ステム３０を上方付勢する弾発力よりも小さく設定し、
前記上方ヘッド部６０の押下げにより、ノズル６６先端が前記ノズル閉鎖部材５０から下方へ離脱することで液体を吐出可能に設けたことを特徴とする液体吐出ポンプ。
【請求項２】
前記上方ヘッド部６０を下方ヘッド部４０外面へ摺動自在に嵌合させると共に、下方ヘッド部４０の上壁４２と上方ヘッド部６０の頂壁６１下面とのいずれか一方にバネ部４９を形成することにより前記上方ヘッド部６０を上方付勢したことを特徴とする請求項１記載の液体吐出ポンプ。
【請求項３】
前記ノズル１は、前記上方ヘッド部頂壁６１から垂下筒６２を垂下して、該垂下筒下部を前記ステム３０上端部内面へ上下動自在に嵌合させると共に、垂下筒６２上部から前記装着筒４１を上下動自在に貫通する吐出筒６５を突設してなることを特徴とする請求項１又は２記載の液体吐出ポンプ。
【請求項４】
前記ノズル閉鎖部材５０は、先端部にノズル閉鎖面５４が形成されたノズル嵌合空間５３を備え、前記押下げヘッド３５の上昇時には、ノズル６６は、ノズル嵌合空間５３内へ嵌合され、また、前記押下げヘッド３５の押下げによる下降時には、ノズル嵌合空間５３から下方へ離脱可能であることを特徴とする請求項１、２又は３のいずれか１つに記載の液体吐出ポンプ。
【請求項５】
前記容器体口頸部へ補助キャップを嵌合させると共に、前記下方ヘッド部下部を補助キャップへ嵌合可能に形成し、
前記上方ヘッド部頂壁６１から不使用時下降阻止棒７０を垂下すると共に、前記下方ヘッド部４０上壁４２に透孔４２ａを形成して、前記下降阻止棒７０を透孔４２ａへ挿通させ、
前記下方ヘッド部４０を補助キャップ２０へ嵌合させた際、前記下降阻止棒７０が前記補助キャップ頂壁２２へ当接可能に設けたことを特徴とする請求項１、２、３又は４のいずれか１つに記載の液体吐出ポンプ。
【発明の詳細な説明】
【技術分野】
【０００１】
本発明は、押下げヘッドの押下げで液体を吐出可能な液体吐出ポンプに関する。
【背景技術】
【０００２】
上下動部材を上下動させることにより、容器体内の液を吸込み弁を介してシリンダ内へ吸上げると共に、シリンダ内の液をステムから吐出弁を介してノズルより噴出可能に構成した液体噴出ポンプが知られている (特許文献１参照)。
【特許文献１】特開平８−２６８４５８号公報
【発明の開示】
【発明が解決しようとする課題】
【０００３】
しかしながら、特許文献１記載の液体噴出ポンプは、上下動部材の下降による液体噴出後、ノズル内に残った液が外気に触れて固化するという問題があった。
【０００４】
本発明の目的は、ノズル内の液体の固化防止を図った液体吐出ポンプを提供することにある。
【０００５】
本発明の他の目的は、組立が容易な液体吐出ポンプを提供することにある。
【課題を解決するための手段】
【０００６】
本発明は、シリンダ１内へ上方付勢状態で挿入したステム３０上端部に、ノズル６６を有する押下げヘッド３５を嵌着させた押下げヘッド式の液体噴出ポンプにおいて、
前記押下げヘッド３５を上方ヘッド部６０と下方ヘッド部４０との上下二部材に分割して、上方ヘッド部を下方ヘッド部へ上方付勢状態で摺動自在に嵌合させ、
前記下方ヘッド部４０を装着筒４１を介して前記ステム３０上端部へ嵌合させると共に、下方ヘッド部４０からノズル閉鎖部材５０を突設し
前記ノズル６６基端を前記装着筒４１上端部内面へ上下動自在に嵌合させると共に、ノズル先端をノズル閉鎖部材５０へ当接させてノズル６６先端を閉塞させ、
前記上方ヘッド部６０を上方付勢する弾発力を、前記ステム３０を上方付勢する弾発力よりも小さく設定し、
前記上方ヘッド部６０の押下げにより、ノズル６６先端が前記ノズル閉鎖部材５０から下方へ離脱することで液体を吐出可能に設けたことを特徴とする。
【０００７】
また、本発明は、前記上方ヘッド部６０を下方ヘッド部４０外面へ摺動自在に嵌合させると共に、下方ヘッド部４０の上壁４２と上方ヘッド部６０の頂壁６１下面とのいずれか一方にバネ部４９を形成することにより前記上方ヘッド部６０を上方付勢したことを特徴とする。
【０００８】
さらに、本発明は、前記ノズル１は、前記上方ヘッド部頂壁６１から垂下筒６２を垂下して、該垂下筒下部を前記ステム３０上端部内面へ上下動自在に嵌合させると共に、垂下筒６２上部から前記装着筒４１を上下動自在に貫通する吐出筒６５を突設してなることを特徴とする。
【０００９】
さらに、本発明は、前記ノズル閉鎖部材５０は、先端部にノズル閉鎖面５４が形成されたノズル嵌合空間５３を備え、前記押下げヘッド３５の上昇時には、ノズル６６は、ノズル嵌合空間５３内へ嵌合され、また、前記押下げヘッド３５の押下げによる下降時には、ノズル嵌合空間５３から下方へ離脱可能であることを特徴とする。
【００１０】
さらに、本発明は、前記容器体口頸部へ補助キャップ２０を嵌合させると共に、前記下方ヘッド部下部を補助キャップへ嵌合可能に形成し、
前記上方ヘッド部頂壁６１から不使用時下降阻止棒７０を垂下すると共に、前記下方ヘッド部４０上壁４２に透孔４２ａを形成して、前記下降阻止棒を透孔へ挿通させ、
前記下方ヘッド部を補助キャップへ嵌合させた際、前記下降阻止棒が前記補助キャップ頂壁２２へ当接可能に設けたことを特徴とする。
【発明の効果】
【００１１】
本発明は、ノズル先端を閉塞可能なノズル閉鎖部材を設けたので、液体吐出後、ノズル内に残った液体の固化防止が可能になる。
【００１２】
また、本発明は、上方ヘッド部を上方付勢するバネ部を下方ヘッド部または上方ヘッド部に形成したので、押下げヘッドの組立が容易である。
【００１３】
さらに、本発明は、上方ヘッド部の不使用時下降阻止棒を設けたので、バネ片のへたりを防止することができる。
【発明を実施するための最良の形態】
【００１４】
以下、本発明を図面に示す実施の形態を参照しながら説明する。なお、図１において左方向を前方とする。
【００１５】
図１は液体吐出ポンプの半断面図、図２は押下げヘッドの分解斜視図である。
【００１６】
１はシリンダで、その周壁上端から外向きフランジ２を突設し、外向きフランジ内周から補助キャップ３を嵌合させるための嵌合筒部４を立設している。
【００１７】
シリンダ底壁５に弁座６を形成すると共に、弁座を開閉自在な弁体７を設けている。シリンダ１の下端部は容器体８内へ垂下させると共に、外向きフランジ２を容器体口頸部上面へ載置させている。
【００１８】
１０は装着キャップで、容器体口頸部外面へ嵌合させた周壁から内向きフランジ１１を延設し、該内向きフランジでシリンダ１の外向きフランジ２を固定している。
【００１９】
２０は補助キャップで、嵌合筒部４へ嵌合させた嵌合させた嵌合筒２１を頂板２２から垂下すると共に、頂板２２周縁から垂設した螺筒部２３をシリンダ内上端部へ垂設している。
【００２０】
３０はステムで、シリンダ１の内周面へ上下動自在に嵌合させた環状ピストン３１を下端外周から突設している。ステム３０は環状ピストン３１と弁体７との間に縮設されたコイルスプリング３２によって上方へ付勢されている。
【００２１】
３５は押下げヘッドで、上方ヘッド部と下方ヘッド部４０とから形成されている。まず、下方ヘッド部について説明する。
【００２２】
下方ヘッド部４０は、ステム３０上端部外面へ嵌合させた内筒(装着筒)４１上端から外向きフランジ４２を突設し、該外向きフランジ外周から外筒４３を垂設している。
【００２３】
そして、内筒４１の前方上部に第１切欠部４４を形成すると共に、外向きフランジ４２前部と外筒４３の前方上部とのそれぞれに第２切欠部４５および第３切欠部４６を形成する。また、内筒４１の上方部分を下方部分よりも大外径部にして、内筒４１内面に上向き段部４７を形成すると共に、外筒４３の下端部を上方部分よりも大外径部にして、外筒４３外面に上向き段部４８を形成し、大外径部内面には雌ネジを形成する。
【００２４】
さらに、外向きフランジ４２の任意箇所から、本実施形態では等間隔をおいた三箇所からバネ片４９を外向きフランジと一体に上方へ彎曲状に起立させる。なお、バネ片４９は後述の上方ヘッド部に設けることも可能である。ここでバネ片４９の弾発付勢力は、後述の理由によりステム３０を上方付勢するコイルスプリング３２の弾発付勢力よりも小さく設定する。
【００２５】
５０はノズル閉鎖部材で、ノズル閉鎖板５１から一対の互いに平行な脚部５２を後方へ突設して、該脚部５２後端を外筒４３の第３切欠部４６の両側へ一体に連結すると共に、一対の脚部５２間の前端上面を上板５２ａで覆うことで、ノズル閉鎖板５１と一対の脚部５２とで囲まれた空間がノズル嵌合空間５３を形成すると共に、ノズル閉鎖板５１がノズル閉鎖面５４を形成する。なお、ノズル閉鎖面５４は斜め下前方へ傾斜させるのが好ましい。
【００２６】
上方ヘッド部６０は、頂壁６１の下面中央部から垂下筒６２を垂下して、該垂下筒を内筒４１内面へ上下動自在に嵌合させると共に、頂壁周縁から垂下する周壁６３を外筒４３外面へ上下動自在に嵌合させ、かつ、周壁６３の下方前部に下面開口の第４切欠部６４を形成している。
【００２７】
さらに、垂下筒６２から第１切欠部４４、第３切欠部４６および第４切欠部６４を貫通させて吐出筒６５を前方へ突設させることで、吐出筒６５から液体を吐出可能としており、したがって、垂下筒６２および吐出筒６５がノズル６６を形成する。
【００２８】
なお、吐出筒６５の前面はノズル閉鎖面５４と密接し得るように斜め下前方へ傾斜させるのが好ましく、また、吐出筒６５の上壁前端部はその後方部よりも薄肉にして、吐出筒６５の前端部上面に前向き段部６７を形成するのが好ましい。
【００２９】
ここでノズル６６とノズル閉鎖部材５０との関係について説明すると、液体を吐出しない時は、吐出筒６５がノズル嵌合空間５３内へ下方から嵌合して、吐出筒６５先端がノズル閉鎖面５４に密接すると共に、前向き段部６７が上板５３の後面へ係合可能に構成する。
【００３０】
なお、上記では、バネ片４９は下方ヘッド部に設けたが、これに限らず、上方ヘッド部の頂壁に設けることも可能である。この場合には、バネ片は下方へ彎曲させて垂下する。
【００３１】
７０は下降阻止棒で、上方ヘッド部６０の頂壁６１から垂下されており、下方ヘッド部４０の外向きフランジ４２に形成された透孔４２ａへ挿通されている。この下降阻止棒は、不使用時に機能する。すなわち、不使用時には、図４に示すように、下方ヘッド部を補助キャップ２０へ螺合させるが、この螺合時に下降阻止棒下端が補助キャップ２０の頂壁２２へ当接するように設定する。
【００３２】
このようにする理由は、図４に示す不使用時、上方ヘッド部６０の上に物等が置かれると、上方ヘッド部６０が下降してバネ片４９を下方へ変形させることになるが、これが長時間にわたる場合には、バネ片４９が弾性を失いへたりを生ずることになるため、これを防止すべく下降阻止棒が補助キャップ２０へ当接して不使用時における上方ヘッド部６０の下降を阻止するようにしたものである。
【００３３】
次に作用について説明する。
【００３４】
液体を吐出させるには、上方ヘッド部６０をバネ片４９の弾発力に抗して押し下げればよく、すると図３に示すように、バネ片４９の弾発付勢力は、ステム３０を上方付勢するコイルスプリング３２の弾発付勢力よりも小さいため、押下げ初期に、ステム３０は下降することなく、上方ヘッド部６０のみが下降し、ノズル６６を形成する吐出筒６５がノズル嵌合空間５３から下方へ離脱して、吐出筒６５前面がノズル閉鎖面５４から離間する。したがって、ノズル６６はノズル開口が開放されていることから液体を吐出可能な状態になっている。
【００３５】
上方ヘッド部６０が下降して、バネ片４９を倒伏させると、押下げ力が下方ヘッド部４０の外向きフランジ４２に作用する。これによりステム３０がコイルスプリング３２の弾発付勢力に抗して下降する。するとシリンダ内の液体が吐出弁を開き、ステム３０内を上昇してノズル６６から吐出される。
【００３６】
吐出後、上方ヘッド部６０から手を離すと、ステム３０が上昇すると共に、バネ片４９の付勢力により上方ヘッド部６０が上昇する。これによって吐出筒６５がノズル嵌合空間５３内へ下方から嵌合して、吐出筒６５先端がノズル閉鎖面５４に密接する。このように液体吐出後、直ちにノズル６６の開口が閉塞されるため、ノズル６６内に残留した液体が空気に触れる時間が短く、したがって、ノズル内の液体が固化することが防止される。
【００３７】
使用後は、上方ヘッド部６０をゆっくり押し下げて、外筒４３の大外径部内面の雌ネジを補助キャップ２０に螺合させればよく、螺合後、上方ヘッド部６０を離すと、図４に示すように、ノズル６６がノズル嵌合空間５３内へ嵌合される。
【図面の簡単な説明】
【００３８】
【図１】本発明に係る液体吐出ポンプの半断面図である。
【図２】押下げヘッドの分解斜視図である。
【図３】押下げヘッドの押し下げ時の作用説明図である。
【図４】使用後の押下げヘッドを容器に螺合させた状態を示す半断面図である。
【符号の説明】
【００３９】
１  シリンダ
３０  ステム
３５  押下げヘッド
４０  下方ヘッド部
５０  ノズル閉鎖部材
５３  ノズル嵌合筒
５４  ノズル閉鎖面
６０  上方ヘッド部
６１  頂壁
６２  垂下筒
６５  吐出筒
６６  ノズル
【図１】
2008162671.tif 000003
【図２】
2008162671.tif 000004
【図３】
2008162671.tif 000005
【図４】
2008162671.tif 000006